(57)【特許請求の範囲】
【請求項１】
身体に密着させて着用する伸縮性を有する衣料であって、股部を有し少なくとも腹部中央部を覆っているショートタイプのガードル、セミロングタイプのガードル、ショーツ及びスパッツから選ばれた衣料であり、前記衣料はショートタイプのガードル、セミロングタイプのガードル、ショーツ及びスパッツから選ばれた形状の衣料本体の裏側の腹部に少なくとも腹部中央部を覆っている腹部形状補整布を有しており、
前記腹部形状補整布は、
（ａ）弾性繊維の太さを太い弾性繊維を用いた部分と細い弾性繊維を用いた部分で構成する方法、（ｂ）弾性繊維の混入割合が多い部分と少ない部分で構成する方法、（ｃ）編み組織を緊締力の強い編み組織と弱い編み組織に編み分けで構成する方法、又は、（ｄ）これらの少なくとも２方法以上の組み合わせ、から選ばれたいずれかの方法により、脇側の縁近傍より中側の緊締力が大きい、緊締力が脇側の縁近傍から中側に向かって変化している生地とし、
かつ、少なくともその脇側の縁部がほつれ防止処理されている端始末を必要としない生地からなっており、
前記腹部形状補整布の周辺縁のうち、脇側の縁は、その全長にわたって衣料本体に縫合されていないフリーの状態であり、上辺縁並びに下辺縁は、その全長が衣料本体に縫合されている腹部裏打ち布を有する衣料。
【請求項２】
衣料本体が、その少なくとも一部が緊締力の変化が付されている生地からなっている請求項１に記載の腹部裏打ち布を有する衣料。
【請求項３】
衣料本体の緊締力の変化が付されている部分が、（ａ）ヒップの膨らみの部分の緊締力が弱でそれより下側にいくに従いヒップの下端まで緊締力が比較的強められているか、（ｂ）裾口近傍が緊締力が比較的強くそれより上部は緊締力が弱められているか、（ｃ）腹部中央部分が比較的緊締力が強く脇側にいくにつれて緊締力が弱くなっているかのいずれか少なくとも１つである請求項２に記載の腹部裏打ち布を有する衣料。
【請求項４】
腹部形状補整布が脇側の縁にほぼ沿った方向ないしはほぼ縦方向に伸縮性を有する一方向伸縮性の生地か、または、それらの方向とほぼ直角方向にも更に伸縮性を有する二方向伸縮性の生地からなる請求項１〜３のいずれかに記載の腹部裏打ち布を有する衣料。
【請求項５】
衣料本体の少なくともヒップの膨らみの頂点近傍をカバーする生地が二方向伸縮性の生地からなる請求項１〜４のいずれかに記載の腹部裏打ち布を有する衣料。
【発明の詳細な説明】
【０００１】
【発明の属する技術分野】
本発明は、腹部裏打ち布を有する衣料に関する。特に本発明は、身体に密着させて着用する伸縮性を有する衣料で、股部を有し少なくとも腹部中央部を覆っている衣料において、更に腹部裏打ち布を有する衣料に関する。
【０００２】
【従来の技術】
従来より、ショートタイプのガードル、セミロングタイプのガードル、ショーツ、スパッツ、ボディスーツ、水着、レオタードなどの身体に密着させて着用する股部を有し少なくとも腹部中央部を覆っている衣料は、広く普及している。
【０００３】
従来、この種の衣料においては、腹部の贅肉などの膨出を抑えて、腹部の形状を美しくすっきりした形に補整するために、衣料本体の裏側に、少なくとも腹部中央部を覆っている裏打ち布を腹部形状補整布として、縫製により取り付けているのが一般的である。通常、裏打ち布は、その周囲の縁全周が衣料本体の裏側に縫製されて、取り付けられている。
【０００４】
【発明が解決しようとする課題】
しかしながら、座ったり、しゃがんだり、前屈みになったり、そして立ったりする日常頻繁に繰り返し行われる動作においては、腹部の皮膚の伸び縮みがかなり大きくなり、人体にタイトにフィットさせて着用するこの種の衣料においては、腹部形状補整布の周囲の縁全周が衣料本体の裏側に縫製されていると、腹部の皮膚の伸び縮みに十分に追従できず、運動追従性が不十分となる。従って、座位時などのお腹、ウエスト部位などを圧迫する姿勢時においては、人体腹部表面は縦方向には縮み、横方向には拡張されるため、裏打ちされている腹部形状補整布等のウエストから腹部にかけての布地が折り畳まれて皺が発生し、皺が発生するとその分、布地が厚手になったと同様の作用により、お腹押さえ等のパワーが大きくなり皺による押さえつけで不快感が大きくなるのと、更に人体腹部表面を横方向に拡張しようとする作用によりこの皺が横方向に引っ張られて一層腹部を圧迫するパワーが相乗的に作用することになり、座位時やしゃがんだ時、前かがみになった場合などの姿勢時においては、不必要に腹部を圧迫することになるため、圧迫感、不快感が増大したり、局部的に痛みを伴うことがあるなど、着用感が良くないと言う問題があった。
【０００５】
本発明は、従来の衣料の上述したような問題点を解決し、裏打ちされた腹部形状補整布の運動追従性が良好で、従って座位時や前かがみ時においても、圧迫感、不快感が軽減され、局部的な痛みの発生が抑制された着用感が良好な伸縮性の衣料で、人体にタイトにフィットさせて着用する股部を有し少なくとも腹部中央部を覆っている衣料で、腹部裏打ち布を有する衣料を提供することを目的とする。
【０００６】
【課題を解決するための手段】
上記の目的を達成するため、本発明は、以下に示すような、腹部裏打ち布を有する衣料を提供するものである。
【０００７】
（１）身体に密着させて着用する伸縮性を有する衣料であって、股部を有し少なくとも腹部中央部を覆っている衣料であり、前記衣料は衣料本体の裏側に少なくとも腹部中央部を覆っている腹部形状補整布を有しており、
前記腹部形状補整布は、
（ａ）弾性繊維の太さを太い弾性繊維を用いた部分と細い弾性繊維を用いた部分で構成する方法、（ｂ）弾性繊維の混入割合が多い部分と少ない部分で構成する方法、（ｃ）編み組織を緊締力の強い編み組織と弱い編み組織に編み分けで構成する方法、又は、（ｄ）これらの少なくとも２方法以上の組み合わせ、から選ばれたいずれかの方法により、脇側の縁近傍より中側の緊締力が大きい、緊締力が脇側の縁近傍から中側に向かって変化している生地とし、
かつ、少なくともその脇側の縁部がほつれ防止処理されている端始末を必要としない生地からなっており、
前記腹部形状補整布の周辺縁のうち、脇側の縁は、その全長にわたって衣料本体に縫合されていないフリーの状態であり、上辺縁並びに下辺縁は、その全長が衣料本体に縫合されている腹部裏打ち布を有する衣料。
【０００８】
本発明の腹部裏打ち布を有する衣料は、腹部形状補整布の周辺縁のうち、脇側の縁は、その全長にわたって衣料本体に縫合されていないフリーの状態なので、裏打ちされた腹部形状補整布の運動追従性が良好で、従って座位時や前かがみ時においても圧迫感、不快感が軽減され、局部的な痛みの発生が抑制された着用感が良好な腹部形状補整機能を有する衣料が提供できる。
【００１２】
腹部形状補整布の上辺縁並びに下辺縁は、その全長にわたって衣料本体に縫合されているので、しっかりと衣料本体に取り付けられ、腹部形状補整布の安定性を保持すると共に、耐洗濯性等の耐久性に優れた衣料が提供でき好ましい。
【００１４】
そして、腹部形状補整布が、脇側の縁近傍より中側の緊締力が大きい、緊締力が脇側の縁近傍から中側に向かって変化している生地とすることにより、形状補整機能を大きくする必要がある腹部中央部の緊締力を大きくすることが出来、不必要に腹部を圧迫することを避け、腹部形状補整布の脇側の縁近傍の緊締力が中央部に比較して緩められているので、腹部形状補整布の運動追従性が向上し好ましい。
【００１６】
また、腹部形状補整布が、少なくともその脇側の縁部がほつれ防止処理されている端始末を必要としない生地からなることにより、ほつれ防止のため腹部形状補整布の脇側を折り返して縫製する通常の端始末を必要とする生地を用いた場合に比べ、生地の脇側端の折り返しや縫製を必要としないので、段になりにくく、腹部形状補整布の縁がアウターウェアーに反映して（これをアウターにひびくと言う。）着用者の外観が見苦しくなるのを防止でき好ましい。
【００１７】
（２）衣料本体が、その少なくとも一部が緊締力の変化が付されている生地からなっている前記（１）項に記載の腹部裏打ち布を有する衣料。
【００１８】
上記本発明の好ましい態様とすることにより、腹部形状補整布の補整機能のほかに、衣料本体により別途独自の補整機能を付与したり、腹部形状補整布の領域を衣料本体の強緊締力部が重複して通る場合には、腹部形状補整布の補整機能を更に部分的に調整したり強めたり等補整パワーの切り替えが自由に出来、腹部形状補整布と衣料本体の強緊締力部の種々の組み合わせが可能となり好ましい。
【００１９】
（３）衣料本体の緊締力の変化が付されている部分が、（ａ）ヒップの膨らみの部分の緊締力が弱でそれより下側にいくに従いヒップの下端まで緊締力が比較的強められているか、（ｂ）裾口近傍が緊締力が比較的強くそれより上部は緊締力が弱められているか、（ｃ）腹部中央部分が比較的緊締力が強く脇側にいくにつれて緊締力が弱くなっているかのいずれか少なくとも１つである前記（２）項に記載の腹部裏打ち布を有する衣料。
【００２０】
上記本発明の好ましい態様とすることにより、衣料本体の緊締力の変化が付されている部分が、（ａ）ヒップの膨らみの部分の緊締力が弱でそれより下側にいくに従いヒップの下端まで緊締力が比較的強められている態様の場合には、更にヒップの美しい丸みを保ち、且つ、ヒップアップ機能を発揮でき好ましい。また、（ｂ）裾口近傍が緊締力が比較的強くそれより上部は緊締力が弱められている態様の場合には、更に裾のずり上がりを防止でき、また、例えば、セミロングタイプのガードルのような人体脚部を筒状に覆う脚部部分を有するような衣料ではなくショートタイプのガードルや実質上人体脚部を筒状に覆う脚部部分を持たない態様のボディスーツ、水着等の場合には、後ろ側の裾口近傍の位置はヒップの膨らみの部分の下側になるので、前記（ａ）の強緊締力部と同じ位置をカバーしていることになり、前記（ａ）と同様のヒップアップ機能を発揮でき好ましい。また、（ｃ）腹部中央部分が比較的緊締力が強く脇側にいくにつれて緊締力が弱くなっている態様の場合には、腹部形状補整布の機能を強化し、よりスリムな腹部形状への補整も可能となり、好ましい。
【００２１】
（４）腹部形状補整布が脇側の縁にほぼ沿った方向ないしはほぼ縦方向に伸縮性を有する一方向伸縮性の生地か、または、それらの方向とほぼ直角方向にも更に伸縮性を有する二方向伸縮性の生地からなる前記（１）〜（３）項のいずれかに記載の腹部裏打ち布を有する衣料。
【００２２】
上記本発明の好ましい態様とすることにより、腹部形状補整機能が発揮されると共に、一つのサイズの衣料における着用可能な人体のサイズの幅が広がると共に、腹部への強い圧迫感が生じず好ましい。
【００２３】
（５）少なくともヒップの膨らみの頂点近傍をカバーする生地が二方向伸縮性の生地からなる前記（１）〜（４）項のいずれかに記載の腹部裏打ち布を有する衣料。
【００２４】
上記本発明の好ましい態様とすることにより、ヒップの膨らみをつぶさずにヒップの美しい丸みを保つことが出来好ましい。
【００２５】
（６）衣料が、ショートタイプのガードル、セミロングタイプのガードル、ショーツ、スパッツ、ボディスーツ、水着、レオタードから選ばれた衣料である前記（１）〜（５）項のいずれかに記載の腹部裏打ち布を有する衣料。
【００２６】
上記本発明の好ましい態様とすることにより、これらの衣料は、いずれも肌に密着してタイトに着用される衣料であり、前述した本発明の機能が効果的に発揮され好ましい。
【００２７】
【発明の実施の形態】
以下、本発明の具体的な実施の形態を図面を引用しながら説明するが、本発明は、これらの実施の形態に具体的に記載されたもののみに限定されるものではない。
【００２８】
図１は本発明の腹部裏打ち布を有する衣料であるショートタイプのガードルの正面側から見た斜視図、図２は図１に示したガードルの背面側から見た斜視図、図３は図１の衣料本体の正面側から見た斜視図に、衣料本体裏側に取り付けられている腹部裏打ち布である腹部形状補整布の取り付け位置を記入した図であり、衣料の外側にあらわれる輪郭を点線で表して、裏側に取り付けられる腹部形状補整布を実線で示した図である。また、図４は、図１〜３に示したガードルの各構成部片の展開平面図である。なお、図１においては、着用の際に脚部が出される脚部穴のところの後ろ側の裾のラインが見えるはずであるが、それを記載すると複雑になり、図面が理解しずらくなるので、あえて図示を省略している。後ろ側の裾は図２によって十分理解しうるからである。なお、他の実施の形態の図面においてもほぼ同様の省略を行っている。
【００２９】
図１〜４において１は衣料本体９の腹部充当部片、２ａ、２ｂは右ないし左側の脇−後部充当部片（尚、右側、左側は正面側から見た斜視図（この場合は図１）を基準にして、当該斜視図の右側を右側、左側を左側としている。以下、同様である。）、３ａ、３ｂは右ないし左側の前裾部片である。そして衣料本体の右ないし左側の脇−後部充当部片２ａ、２ｂにおいては、緊締力が段階的に変化している生地が用いられており、ヒップの膨らみの部分を少なくともカバーしている部分２ａ１、２ｂ１が緊締力の比較的弱い部分であり、それより下側にいくに従いヒップの下端まで緊締力が比較的強められている。（緊締力が変化している境界を模式的に一点鎖線で示した。）すなわち、２ａ２、２ｂ２が緊締力が中程度の部分で、２ａ１、２ｂ１の部分に比べて緊締力がより大きくなっており、２ａ３、２ｂ３が緊締力が最も強い部分である。このように緊締力変化を持たせることにより、ヒップの丸い膨らみは、つぶさずにヒップの美しい丸みを保ち、ヒップの膨らみの下側を２ａ２、２ｂ２の部分、更に２ａ３、２ｂ３の部分と段階的に緊締力を強めることにより、ヒップアップ機能を発揮できるとともに段階的に緊締力が強くなっているので、急激な緊締力の変化を抑えて着用感を良好にすることができ、裾周りにゴムテープなどが縫合されている場合に比べて肌への食い込みもない。しかも、裾縁の部分がほつれ防止処理されている端始末を必要としない生地を用いている。従って、生地の脇側端の折り返しや縫製を必要としないので、段になりにくく、裾の縁がアウターウェアーに反映して着用者の外観が見苦しくなるのを防止でき好ましい。
【００３０】
緊締力に変化をつけるには、後述するように種々の手法があるが、この実施例では、用いるポリウレタン糸などの弾性繊維糸のデニール数を変えることにより、小さいデニール数の弾性繊維糸を用いている部分の緊締力は弱く、大きいデニール数の弾性繊維糸を用いている部分の緊締力は、大きくなる手法を用いている。以下の実施の形態についてもほぼ同様である。なお、緊締力は通常は一点鎖線で示したそれに沿った方向の帯状の長手方向の緊締力を意味しているが、もちろん、それと直角方向にも更に所望の緊締力を持たせてもよい。なお、４ａ、４ｂは縫合ラインであり、６は背面側における右側の脇−後部充当部片２ａと左側の脇−後部充当部片２ｂとの後ろ中心における縫合ラインである。
【００３１】
そして、図３を参照するに、衣料本体９の裏側に腹部中央部を覆っている腹部形状補整布１１を有しており、この態様においては、腹部形状補整布１１は左右の小部片１１ｂ、１１ａがその中央部の縫合ライン１４で縫合されて接ぎ合わされて１つの腹部形状補整布を形成している。そして、腹部形状補整布１１は脇側の縁近傍１１ａ２、１１ｂ２より中側１１ａ１、１１ｂ１の緊締力が大きくされており、脇側の１１ａ２、１１ｂ２の緊締力は弱で、中側１１ａ１、１１ｂ１の緊締力は強に編み分けられている生地を用いた。そして、前記、衣料本体は主たる部分が２方向伸縮性のツーウェイ素材（ここではツーウェイラッセル編物）が使用されているのに対し、腹部形状補整布１１は伸縮性が１方向（この場合、脇側の縁にほぼ沿った方向）のワンウェイ素材（ここではワンウェイパワーネット編物）で、且つ、少なくともその脇側の縁部１３ｂ、１３ａの部分がほつれ防止処理されている端始末を必要としない生地を用いている。従って、生地の脇側端の折り返しや縫製を必要としないので、段になりにくく、腹部形状補整布の縁がアウターウェアーに反映して着用者の外観が見苦しくなるのを防止でき好ましい。
【００３２】
尚、衣料本体９の腹部充当部片１は、必ずしも伸縮性であるとは限らず、必要に応じて非伸縮性の生地を用いたり、衣料縦方向のみに伸縮性の生地を用いてもよいことは当然である。本発明の衣料は伸縮性を有する衣料であるが、この意味は、本発明の衣料を構成する全ての部分が全て伸縮性でなければならないことを意味するものではなく、その一部が非伸縮性であっても、全体として実質上身体にフィットする程度に伸縮性を有していればよいのである。従って例えば、衣料本体の腹部充当部片やクロッチ部片などは必要に応じて非伸縮性生地を使用してもよいのである。
【００３３】
腹部形状補整布１１はこの態様においては、その周辺縁のうち、脇側の縁１３ｂ、１３ａはその全長にわたって衣料本体９に縫合されていないフリーの状態であり、上辺縁１０並びに下辺縁１２は、その全長にわたって衣料本体９に縫合されている。すなわちこの実施の形態例においては、上辺縁１０はその全長が衣料本体９のウェストライン８に縫合されており、下辺縁１２は、その全長が衣料本体９のクロッチ布５の前側の縁に縫合されている。（更に、必要に応じて、腹部形状補整布１１の前中心ライン［ここではその中央部の縫合ライン１４と重なる。］の全長またはその一部が、衣料本体９の腹部充当部片１の前中心ラインに縫合されていてもよい。）。
【００３４】
また、この実施の形態例においては、上辺縁１０並びに下辺縁１２は、その全長にわたって衣料本体９に縫合されている例を示したが、上辺縁１０または下辺縁１２は、両サイド部分が衣料本体９に縫合されていて、中央部分は衣料本体９に縫合されていない態様にしてもよい。
【００３５】
また、腹部形状補整布１１はこの態様においては、その周辺縁のうち、脇側の縁１３ｂ、１３ａはその全長にわたって衣料本体９に縫合されていないフリーの状態である好ましい例を示したが、脇側の縁は、必ずしもその全長にわたって衣料本体に縫合されていないフリーの状態であるもののみに限定されるものではなく、その中間部が全長の２／３以上にわたって衣料本体に縫合されていないフリーの状態であれば、脇側の縁の両端部分または一方の端部はトータル長で脇側の縁の全長の１／３以内であれば縫合されている場合も含む。尚、本発明において「腹部形状補整布の周辺縁のうち、脇側の縁はその中間部が全長の２／３以上にわたって衣料本体に縫合されていないフリーの状態」の脇側の縁の「中間部」とは、上述のように脇側の縁の両端部分またはいずれか一方の端部分を除いた部分を意味している。
【００３６】
図４に、図１〜３に示したガードルの各構成部片の展開平面図を示した。なお、各構成部片の展開平面図には縫い代は記載していない。このガードルは左右対称であるので、これらの部片がどのように縫合されて図１〜３に示したガードルが形成できるかの説明については、原則として、前中心より右半分について説明し、左半分は右半分と左右線対称（前中心線が対称軸）であるから、説明を省略している。
【００３７】
図４において、衣料本体の腹部充当部片１のＢ−Ｃに脇−後部充当部片２ａのＩ−Ｎが縫合され、脇−後部充当部片２ａのＮ−Ｍに前裾部片３ａのＯ−Ｐが、前裾部片３ａのＯ−Ｒが衣料本体の腹部充当部片１のＣ−Ｄに、クロッチ布５のＳ−Ｔが衣料本体の腹部充当部片１のＥ−Ｄに、クロッチ布５のＴ−Ｕが前裾部片３ａのＲ−Ｑに、クロッチ布５のＸ−Ｗが脇−後部充当部片２ａのＫ−Ｌに、右脇−後部充当部片２ａのＪ−Ｋが左脇−後部充当部片２ｂのＪ２−Ｋ２にそれぞれ縫合されて、衣料本体外側が形成される。衣料本体の腹部充当部片１の裏側に裏打ちされる腹部形状補整布１１は、右の小部片１１ａのＹ−Ｚが左の小部片１１ｂのＺ３−Ｚ４に縫合されて、１つの腹部形状補整布を形成するが、腹部形状補整布の右の小部片１１ａのＺ−Ｚ１がクロッチ布５のＳ−Ｕに縫合され、従って、Ｚ−Ｚ１の一部が衣料本体の腹部充当部片１のＥ−Ｄとも縫合されることになる。１１ａのＹ−Ｚ２は衣料本体の腹部充当部片１のＡ−Ｂと脇−後部充当部片２ａのＩ−Ｉ２に縫合される。腹部形状補整布１１の幅は、この実施の形態例では衣料本体の腹部充当部片１の幅よりも若干大きく設計されている。
【００３８】
上記に示したショートタイプのガードルは、腹部形状補整布の周辺縁のうち、脇側の縁は、その全長にわたって衣料本体に縫合されていないフリーの状態なので、裏打ちされた腹部形状補整布の運動追従性が良好で、従って座位時や前かがみ時においても圧迫感、不快感が軽減され、局部的な痛みの発生が抑制された着用感が良好な腹部形状補整機能を有する衣料が提供できる。
【００３９】
そして腹部形状補整布が、脇側の縁近傍より中側の緊締力が大きい、緊締力が脇側の縁近傍から中側に向かって変化している生地からなる本発明の好ましい態様とすることにより、形状補整機能を大きくする必要がある腹部中央部の緊締力を大きくすることが出来、不必要に腹部を圧迫することを避け、腹部形状補整布の脇側の縁近傍の緊締力が中央部に比較して緩められているので、腹部形状補整布の運動追従性が向上し好ましい。また、腹部形状補整布が、その脇側の縁部がほつれ防止処理されている端始末を必要としない生地からなるので、段になりにくく、腹部形状補整布の縁がアウターウェアーに反映して着用者の外観が見苦しくなるのを防止でき好ましい。そのほかの優れた機能並びに本体衣料の緊締力変化に基づく優れた機能が発揮されることは上述した通りである。
【００４０】
次に図５に衣料本体の形状は図１〜２に示したものと同一であるが、腹部形状補整布１１の形状が異なる態様のショートタイプのガードルを示した。衣料本体の形状は図１〜２に示したものと同一であるので、図示していないが、図１〜２に示した通りである。すなわち、図５は図１の衣料本体の正面側から見た斜視図に、衣料本体裏側に取り付けられている腹部裏打ち布である腹部形状補整布の取り付け位置を記入した図であり、衣料の外側にあらわれる輪郭を点線で表して、裏側に取り付けられる腹部形状補整布を実線で示した図である。
【００４１】
この実施の形態の腹部形状補整布１１は、上辺縁１０がその右側部分の上辺縁１０ａとその左側部分の上辺縁１０ｂとからなる略Ｖ字状になっている。
【００４２】
腹部形状補整布１１はこの態様においては、その周辺縁のうち、脇側の縁１３ｂ、１３ａはその全長にわたって衣料本体９に縫合されていないフリーの状態であり、上辺縁１０並びに下辺縁１２は、その全長にわたって衣料本体９に縫合されている。すなわちこの実施の形態例においては、上辺縁１０は衣料本体９のウェストライン８よりも若干下側に略Ｖ字状に下に凸の形で衣料本体９に縫合されている。従って、ウェスト部分に存在する着用者の胃の部分を強く圧迫しないと言う機能が発揮される。そのほか図１〜３に示した部分と同一部分は同一の符号を付して重複説明を省略した。
【００４３】
そしてこの実施の形態に示したショートタイプのガードルにおいても、図１〜３に示したショートタイプのガードルと同様に、腹部形状補整布の周辺縁のうち、脇側の縁は、その全長にわたって衣料本体に縫合されていないフリーの状態なので、裏打ちされた腹部形状補整布の運動追従性が良好で、従って座位時や前かがみ時においても、圧迫感、不快感が軽減され、局部的な痛みの発生が抑制された着用感が良好な腹部形状補整機能を有する衣料が提供できる。
【００４４】
そして腹部形状補整布が、脇側の縁近傍より中側の緊締力が大きい、緊締力が脇側の縁近傍から中側に向かって変化している生地からなる本発明の好ましい態様とすることにより、形状補整機能を大きくする必要がある腹部中央部の緊締力を大きくすることが出来、不必要に腹部を圧迫することを避け、腹部形状補整布の脇側の縁近傍の緊締力が中央部に比較して緩められているので、腹部形状補整布の運動追従性が向上し好ましい。また、腹部形状補整布が、その脇側の縁部がほつれ防止処理されている端始末を必要としない生地からなるので、段になりにくく、腹部形状補整布の縁がアウターウェアーに反映して着用者の外観が見苦しくなるのを防止でき好ましい。そのほかの優れた機能並びに本体衣料の緊締力変化に基づく優れた機能が発揮されることは図１〜４のショートタイプのガードルと同様である。
【００４５】
次に図６に衣料本体の形状は図１〜２に示したものと同一であるが、腹部形状補整布１１の態様が異なるショートタイプのガードルを示した。衣料本体の形状は図１〜２に示したものと同一であるので、図示していないが、図１〜２に示した通りである。すなわち、図６は図１の衣料本体の正面側から見た斜視図に、衣料本体裏側に取り付けられている腹部裏打ち布である腹部形状補整布の取り付け位置を記入した図であり、衣料の外側にあらわれる輪郭を点線で表して、裏側に取り付けられる腹部形状補整布を実線で示した図である。
【００４６】
この実施の形態の腹部形状補整布１１は、外側の輪郭形状は図３に示した腹部形状補整布と同一であるが、図３に示した腹部形状補整布のようにその脇側と中側とで緊締力が一定であり、緊締力の変化を付けていない伸縮性が１方向（この場合、ガードルの縦方向）のワンウェイ素材（ここではワンウェイパワーネット編物）を用いている。
【００４７】
腹部形状補整布１１はこの態様においては、その周辺縁のうち、脇側の縁１３ｂ、１３ａはその全長にわたって衣料本体９に縫合されていないフリーの状態であり、上辺縁１０並びに下辺縁１２は、その全長にわたって衣料本体９に縫合されている。すなわちこの実施の形態例においては、上辺縁１０はその全長が衣料本体９のウェストライン８に縫合されており、下辺縁１２は、その全長が衣料本体９のクロッチ布５の前側の縁に縫合されている。
【００４８】
上記に示したショートタイプのガードルは、腹部形状補整布が緊締力の変化を付けていない腹部形状補整布を用いているので、その分コストも安くできる。
【００４９】
そして腹部形状補整布の周辺縁のうち、脇側の縁は、その全長にわたって衣料本体に縫合されていないフリーの状態なので、裏打ちされた腹部形状補整布の運動追従性が良好で、従って座位時や前かがみ時においても、圧迫感、不快感が軽減され、局部的な痛みの発生が抑制された着用感が良好な腹部形状補整機能を有する衣料が提供できる。そのほかの優れた機能並びに本体衣料の緊締力変化に基づく優れた機能が発揮されることは上述した通りである。
【００５０】
次に図７〜図１０に本発明の腹部裏打ち布を有する衣料であるショートタイプのガードルの更に別の実施の形態例を示した。
【００５１】
図７はショートタイプのガードルの正面側から見た斜視図、図８は図７に示したガードルの背面側から見た斜視図、図９は図７の衣料本体の正面側から見た斜視図に衣料本体裏側に取り付けられている腹部裏打ち布である腹部形状補整布の取り付け位置を記入した図であり、衣料の外側にあらわれる輪郭を点線で表して、裏側に取り付けられる腹部形状補整布を実線で示した図である。図１０も図８の衣料本体の背面側から見た斜視図に、衣料本体裏側に取り付けられている腹部裏打ち布である腹部形状補整布の取り付け位置を記入した図であり、衣料の外側にあらわれる輪郭を点線で表して、裏側に取り付けられる腹部形状補整布を実線で示した図である。なお、先に示した図と共通する部分は同じ符号を付して重複説明を省略している。
【００５２】
図７〜１０において１は衣料本体９の腹部充当部片、２ａ、２ｂは右ないし左側の脇−後部充当部片であるが、この態様においては、衣料本体９の腹部充当部片１はその左右の小部片１ｂ、１ａからなり、前中心の縫合ライン２０において縫合されている。なお、腹部充当部片１の左右の小部片１ｂ、１ａの下部は前裾を形成している。４ａ、４ｂは縫合ラインであり、６は背面側における右側の脇−後部充当部片２ａと左側の脇−後部充当部片２ｂとの後ろ中心における縫合ラインである。
【００５３】
そして、図９〜１０を参照するに、衣料本体９の裏側に腹部中央部を覆っている腹部形状補整布１１を有しており、この態様においては、腹部形状補整布１１は左右の小部片１１ｂ、１１ａがその中央部の縫合ライン１４で縫合されて接ぎ合わされて１つの腹部形状補整布を形成している。そして、腹部形状補整布１１は脇側の縁近傍１１ａ２、１１ｂ２より中側１１ａ１、１１ｂ１の緊締力が大きくされており、脇側の１１ａ２、１１ｂ２の緊締力は弱で、中側１１ａ１、１１ｂ１の緊締力は強に編み分けられている生地を用いた。そして、前記、衣料本体は主たる部分が２方向伸縮性のツーウェイ素材（ここではツーウェイラッセル編物）が使用され、腹部形状補整布１１も２方向伸縮性のツーウェイ素材（ここではツーウェイトリコット編物）で、且つ、少なくともその脇側の縁部１３ｂ、１３ａの部分がほつれ防止処理されている端始末を必要としない生地を用いている。従って、生地の脇側端の折り返しや縫製を必要としないので、段になりにくく、腹部形状補整布の縁がアウターウェアーに反映して着用者の外観が見苦しくなるのを防止でき好ましい。
【００５４】
腹部形状補整布１１はこの態様においては、その周辺縁のうち、脇側の縁１３ｂ、１３ａはその全長にわたって衣料本体９に縫合されていないフリーの状態であり、上辺縁１０はその全長が衣料本体９のウェストライン８に縫合されており、下辺縁（この態様では下辺縁が尖った点状になっているので下辺点２１として示した。）は、衣料本体９の下腹部ほぼ中央部に縫合されている。そして更に、腹部形状補整布１１の前中心ライン［ここではその中央部の縫合ライン１４と重なる。］の長さの下から１／３まですなわち下辺点２１から腹部中心よりやや下のポイント２２までが、衣料本体９の腹部充当部片１の前中心ラインに縫合されている。この腹部形状補整布１１の衣料本体９の腹部充当部片１への前中心ラインにおける縫合ラインを２３で示した。
【００５５】
このような構造にすることにより、下辺点２１が洗濯の際に衣料本体９の腹部充当部片１から、はがれてしまうことを防止できる。
【００５６】
上記に示したショートタイプのガードルは、腹部形状補整布の周辺縁のうち、脇側の縁は、その全長にわたって衣料本体に縫合されていないフリーの状態なので、裏打ちされた腹部形状補整布の運動追従性が良好で、従って座位時や前かがみ時においても、圧迫感、不快感が軽減され、局部的な痛みの発生が抑制された着用感が良好な腹部形状補整機能を有する衣料が提供できる。
【００５７】
そして腹部形状補整布が、脇側の縁近傍より中側の緊締力が大きい、緊締力が脇側の縁近傍から中側に向かって変化している生地からなる本発明の好ましい態様とすることにより、形状補整機能を大きくする必要がある腹部中央部の緊締力を大きくすることが出来、不必要に腹部を圧迫することを避け、腹部形状補整布の脇側の縁近傍の緊締力が中央部に比較して緩められているので、腹部形状補整布の運動追従性が向上し好ましい。また、腹部形状補整布が、その脇側の縁部がほつれ防止処理されている端始末を必要としない生地からなるので、段になりにくく、腹部形状補整布の縁がアウターウェアーに反映して着用者の外観が見苦しくなるのを防止でき好ましい。なお、この態様は図１〜２に示したような本体衣料の所定部分に緊締力変化を持たせていないので、衣料本体のコストを安くできる態様である。
【００５８】
次に図１１に衣料本体の形状は図７〜８に示したものと同一であるが、腹部形状補整布１１の形状が異なる態様のショートタイプのガードルを示した。衣料本体の形状は図７〜８に示したものと同一であるので、図示していないが、図７〜８に示した通りである。すなわち、図１１は図７の衣料本体の正面側から見た斜視図に、衣料本体裏側に取り付けられている腹部裏打ち布である腹部形状補整布の取り付け位置を記入した図であり、衣料の外側にあらわれる輪郭を点線で表して、裏側に取り付けられる腹部形状補整布を実線で示した図である。
【００５９】
腹部形状補整布１１はこの態様においては、その周辺縁のうち、脇側の縁１３ｂ、１３ａはその全長にわたって衣料本体９に縫合されていないフリーの状態であるが、この実施の形態の腹部形状補整布１１の上辺縁１０は衣料本体９のウェストライン８よりも若干下側にウェストラインとほぼ並行に衣料本体９に縫合されている。従って、ウェスト部分に存在する着用者の胃の部分を強く圧迫しないと言う機能が発揮される。下辺縁（この態様では下辺縁が尖った点状になっているので下辺点２１として示した。）は、衣料本体９の下腹部ほぼ中央部に縫合されている。そして更に、腹部形状補整布１１の前中心ライン［ここではその中央部の縫合ライン１４と重なる。］の長さの下から１／３を若干越えるまですなわち下辺点２１から腹部中心よりやや下のポイント２２までが、衣料本体９の腹部充当部片１の前中心ラインに縫合されている。この腹部形状補整布１１の衣料本体９の腹部充当部片１への前中心ラインにおける縫合ラインを２３で示した。そのほか図７〜１０に示した部分と同一部分は同一の符号を付して重複説明を省略した。
【００６０】
そしてこの実施の形態に示したショートタイプのガードルにおいても、図７〜１０に示したショートタイプのガードルと同様に、腹部形状補整布の周辺縁のうち、脇側の縁は、その全長にわたって衣料本体に縫合されていないフリーの状態なので、裏打ちされた腹部形状補整布の運動追従性が良好で、従って座位時や前かがみ時においても、圧迫感、不快感が軽減され、局部的な痛みの発生が抑制された着用感が良好な腹部形状補整機能を有する衣料が提供できる。
【００６１】
そして腹部形状補整布が、脇側の縁近傍より中側の緊締力が大きい、緊締力が脇側の縁近傍から中側に向かって変化している生地からなる本発明の好ましい態様とすることにより、形状補整機能を大きくする必要がある腹部中央部の緊締力を大きくすることが出来、不必要に腹部を圧迫することを避け、腹部形状補整布の脇側の縁近傍の緊締力が中央部に比較して緩められているので、腹部形状補整布の運動追従性が向上し好ましい。また、腹部形状補整布が、その脇側の縁部がほつれ防止処理されている端始末を必要としない生地からなるので、段になりにくく、腹部形状補整布の縁がアウターウェアーに反映して着用者の外観が見苦しくなるのを防止でき好ましい。そのほかの優れた機能が発揮されることは図７〜１０のショートタイプのガードルと同様である。
【００６２】
次に図１２〜図１４を引用して、本発明の腹部裏打ち布を有する衣料であるボディスーツの一実施の形態例について説明する。図１２は本発明のボディスーツの正面側から見た斜視図、図１３は図１２に示したボディスーツの背面側から見た斜視図、図１４は図１２の衣料本体の正面側から見た斜視図に、衣料本体裏側に取り付けられている腹部裏打ち布である腹部形状補整布の取り付け位置を記入した図であり、衣料の外側にあらわれる輪郭を点線で表して、裏側に取り付けられる腹部形状補整布を実線で示した図である。なお、図１２においては、着用の際に脚部が出される脚部穴のところの後ろ側の裾のラインが見えるはずであるが、それを記載すると複雑になり、図面が理解しずらくなるので、あえて図示を省略している。後ろ側の裾は図１３によって十分理解しうるからである。更に図１３においては、左側の乳房カップ４５ｂやストラップ４６ｂが見えるはずであるが、それを記載すると複雑になり、図面が理解しずらくなるので、あえて図示を省略している。これらは図１２によって十分理解しうるからである。なお、他の実施の形態の図面においてもほぼ同様の省略を行っている。
【００６３】
図１２〜１４において３１は衣料本体３９の胸部−腹部充当部片、４１ａ、４１ｂは右ないし左側の前脇充当部片、３４ａ、３４ｂは縫合ライン、３２ａ、３２ｂは右ないし左側の臀部充当部片、４４は背中充当部片、４２ａ、４３ａ、４３ｂは縫合ライン、４５ａ、４５ｂは右ないし左側の乳房カップ、４６ａ、４６ｂは右ないし左側のストラップ（肩紐）、３５はクロッチ部、３６は縫合ラインである。そして衣料本体の右ないし左側の臀部充当部片３２ａ、３２ｂにおいては、緊締力が段階的に変化している生地が用いられており、ヒップの膨らみの部分を少なくともカバーしている部分３２ａ１、３２ｂ１が緊締力の比較的弱い部分であり、それより下側にいくに従いヒップの下端まで緊締力が比較的強められている。（緊締力が変化している境界を模式的に一点鎖線で示した。）すなわち、３２ａ２、３２ｂ２が緊締力が中程度の部分で、３２ａ１、３２ｂ１の部分に比べて緊締力がより強められており、３２ａ３、３２ｂ３が緊締力が最も強い部分である。このように緊締力変化を持たせることにより、ヒップの丸い膨らみはつぶさずに、ヒップの美しい丸みを保ち、ヒップの膨らみの下側を３２ａ２、３２ｂ２の部分、更に３２ａ３、３２ｂ３の部分と段階的に緊締力を強めることにより、ヒップアップ機能を発揮できるとともに段階的に緊締力が強くなっているので、急激な緊締力の変化を抑えて着用感を良好にすることができ、裾周りにゴムテープなどが縫合されている場合に比べて肌への食い込みもない。しかも、裾縁の部分がほつれ防止処理されている端始末を必要としない生地を用いている。従って、生地の脇側端の折り返しや縫製を必要としないので、段になりにくく、裾の縁がアウターウェアーに反映して着用者の外観が見苦しくなるのを防止でき好ましい。
【００６４】
緊締力に変化をつけるには、後述するように種々の手法があるが、この実施例では、用いるポリウレタン糸などの弾性繊維糸のデニール数を変えることにより、小さいデニール数の弾性繊維糸を用いている部分の緊締力は弱く、大きいデニール数の弾性繊維糸を用いている部分の緊締力は、大きくなる手法を用いていることは、前述のガードルの場合と同様である。
【００６５】
そして、図１４を参照するに、衣料本体３９の裏側に腹部中央部を覆っている腹部形状補整布５１を有しており、この態様においては、腹部形状補整布５１は左右の小部片５１ｂ、５１ａがその中央部の縫合ライン５４で縫合されて接ぎ合わされて１つの腹部形状補整布５１を形成している。そして、腹部形状補整布５１はその下側部分５１ａ２、５１ｂ２より上側部分５１ａ１、５１ｂ１の緊締力が大きくされており、下側部分５１ａ２、５１ｂ２の緊締力は弱で、上側部分５１ａ１、５１ｂ１の緊締力は強に編み分けられている生地を用いた。そして、前記、衣料本体は主たる部分が２方向伸縮性のツーウェイ素材（ここではツーウェイパワーネット編物）が使用され、腹部形状補整布５１も２方向伸縮性のツーウェイ素材（ここではツーウェイパワーネット編物）で、且つ、少なくともその脇側の縁部１３ｂ、１３ａの部分がほつれ防止処理されている端始末を必要としない生地を用いている。従って、生地の脇側端の折り返しや縫製を必要としないので、段になりにくく、腹部形状補整布５１の縁がアウターウェアーに反映して着用者の外観が見苦しくなるのを防止でき好ましい。
【００６６】
腹部形状補整布５１はこの態様においては、上辺縁１０がその右側部分の上辺縁１０ａとその左側部分の上辺縁１０ｂとからなる略Ｖ字状になっている。腹部形状補整布５１はその周辺縁のうち、脇側の縁１３ｂ、１３ａはその全長にわたって衣料本体３９に縫合されていないフリーの状態であり、上辺縁１０並びに下辺縁１２は、その全長にわたって衣料本体３９に縫合されている。尚、腹部形状補整布５１は、その中央部の縫合ライン５４の部分においては、本体衣料３９には縫合されていない。すなわちこの実施の形態例においては、上辺縁１０は衣料本体３９のウェストラインよりも若干下側に略Ｖ字状に下に凸の形で衣料本体３９に縫合されている。従って、ウェスト部分に存在する着用者の胃の部分を強く圧迫しないと言う機能が発揮される。下辺縁１２は、その全長が衣料本体３９のクロッチ部３５の前側の縁に縫合されている。（更に、必要に応じて、腹部形状補整布５１の前中心ライン［ここではその中央部の縫合ライン５４と重なる。］の全長またはその一部が、衣料本体３９の胸部−腹部充当部片３１の前中心ラインに縫合されていてもよい。）。
【００６７】
また、この実施の形態例においては、上辺縁１０並びに下辺縁１２は、その全長にわたって衣料本体３９に縫合されている例を示したが、上辺縁１０または下辺縁１２は、両サイド部分のみが衣料本体３９に縫合されていて、中央部分は衣料本体３９に縫合されていない態様にしてもよい。
【００６８】
また、腹部形状補整布５１はこの態様においては、その周辺縁のうち、脇側の縁１３ｂ、１３ａはその全長にわたって衣料本体３９に縫合されていないフリーの状態である好ましい例を示したが、脇側の縁は、必ずしもその全長にわたって衣料本体に縫合されていないフリーの状態であるもののみに限定されるものではなく、その中間部が全長の２／３以上にわたって衣料本体に縫合されていないフリーの状態であれば、脇側の縁の両端部分又は上端部分あるいは下端部分のいずれか一方はトータル長で脇側の縁の全長の１／３以内であれば縫合されている場合も含む。
【００６９】
上記に示したボディスーツは、腹部形状補整布の周辺縁のうち、脇側の縁は、その全長にわたって衣料本体に縫合されていないフリーの状態なので、裏打ちされた腹部形状補整布の運動追従性が良好で、従って座位時や前かがみ時においても、圧迫感、不快感が軽減され、局部的な痛みの発生が抑制された着用感が良好な腹部形状補整機能を有する衣料が提供できる。
【００７０】
そして腹部形状補整布が、その下側部分より上側部分の緊締力が大きい、緊締力が下側から上側に向かって変化している生地からなる本発明の好ましい態様とすることにより、形状補整機能を大きくする必要がある腹部中央部の緊締力を大きくすることが出来、不必要に下腹部を圧迫することを避け、腹部形状補整布の下側の緊締力が上部に比較して緩められているので、腹部形状補整布の運動追従性が向上し好ましい。また、腹部形状補整布が、その脇側の縁部がほつれ防止処理されている端始末を必要としない生地からなるので、段になりにくく、腹部形状補整布の縁がアウターウェアーに反映して着用者の外観が見苦しくなるのを防止でき好ましい。そのほかの優れた機能並びに本体衣料の緊締力変化に基づく優れた機能が発揮されることは上述した通りである。
【００７１】
次に図１５に衣料本体の形状は図１２〜１３に示したものと同一であるが、腹部形状補整布５１の形状が異なる態様のボディスーツを示した。衣料本体の形状は図１２〜１３に示したものと同一であるので、図示していないが、図１２〜１３に示した通りである。すなわち、図１５は図１２の衣料本体の正面側から見た斜視図に、衣料本体裏側に取り付けられている腹部裏打ち布である腹部形状補整布の取り付け位置を記入した図であり、衣料の外側にあらわれる輪郭を点線で表して、裏側に取り付けられる腹部形状補整布を実線で示した図である。
【００７２】
この実施の形態の腹部形状補整布５１は、右左の脇側の縁１３ａ、１３ｂが幅方向の外側に位置し、ほぼ衣料上下方向に向いている縁１３ａ１、１３ｂ１と前中心方向に向かって斜めになっている縁１３ａ２、１３ｂ２との縁を持っている。そしてこの実施の形態の腹部形状補整布５１は、上辺縁１０がその右側部分の上辺縁１０ａとその左側部分の上辺縁１０ｂとからなる略Ｖ字状になっている。
【００７３】
腹部形状補整布５１はこの態様においては、その周辺縁のうち、脇側の縁１３ｂ、１３ａのうちほぼ衣料上下方向に向いている縁１３ａ１、１３ｂ１の部分は衣料本体３９に縫合されており、斜めになっている縁１３ａ２、１３ｂ２はその全長にわたって衣料本体３９に縫合されていないフリーの状態であり、上辺縁１０並びに下辺縁１２は、その全長にわたって衣料本体３９に縫合されている。このような態様の場合、脇側の縁１３ｂ、１３ａの長さのそれぞれ２／３以上が縁１３ａ２、１３ｂ２のような斜めになっている縁であることが好ましく、脇側の縁１３ｂ、１３ａの長さの２／３以上が衣料本体３９に縫合されていないフリーの状態であることが必要であり、この態様においては、縁１３ａ２、１３ｂ２の長さは縁１３ａ、１３ｂの長さの２／３以上となっている。
【００７４】
上辺縁１０は衣料本体３９のウェストラインよりも若干下側に略Ｖ字状に下に凸の形で衣料本体３９に縫合されている。従って、ウェスト部分に存在する着用者の胃の部分を強く圧迫しないと言う機能が発揮される。また、下辺縁１２はその全長が衣料本体３９のクロッチ部３５の端部に縫合されている。そのほか図１２〜１４に示した部分と同一部分は同一の符号を付して重複説明を省略した。
【００７５】
そしてこの実施の形態に示したショートタイプのガードルにおいては、腹部形状補整布の上脇側は図１２〜１４に示したボディスーツの腹部形状補整布よりもより広く上脇側をカバーしているので、より上脇まで腹部の贅肉のはみ出しを効果的に防止でき、腹部の形状を形よく整えることができ、腹部形状補整布５１の周辺縁のうち、斜めになっている縁１３ａ２、１３ｂ２はその全長にわたって衣料本体３９に縫合されていないフリーの状態なので、縁１３ａ１、１３ｂ１の縫合部分の作用も加味されて、逢着された腹部形状補整布５１が安定してとりつけられ、より耐洗濯性が向上するとともに、なおかつ腹部形状補整布の運動追従性が良好で、従って座位時や前かがみ時においても、圧迫感、不快感が軽減され、局部的な痛みの発生が抑制された着用感が良好な腹部形状補整機能を有する衣料が提供できる。
【００７６】
また、腹部形状補整布３９はこの実施の形態例においても、その脇側の斜めの縁部１３ａ２、１３ｂ２がほつれ防止処理されている端始末を必要としない生地からなるので、段になりにくく、腹部形状補整布の縁がアウターウェアーに反映して着用者の外観が見苦しくなるのを防止でき好ましい。そのほかの優れた機能並びに本体衣料の緊締力変化に基づく優れた機能が発揮されることは図１２〜１４のボディスーツと同様である。
【００７７】
以上、実施の形態例においては、ショートタイプのガードルや実質上脚部部分を持たない場合のボディスーツなど、太ももなどの人体脚部を筒状に覆う脚部部分を実質上有していない衣料について図面を引用して説明したが、本発明の衣料はこれらに限定されるものではなく、例えば、セミロングタイプのガードルやスパッツのような人体脚部を筒状に覆う脚部部分を有するような衣料にも当然適用できることは明瞭である。また、ガードルのウェスト部に更に幅の広い比較的緊締力の強い部分を設けた例えばハイウェストタイプと呼ばれているガードルなどにも当然適用できる。
【００７８】
前述した所定部分に所定の緊締力変化を有する生地としては、すなわち生地に緊締力変化をつけるには、公知のいかなる方法を用いてもよく、特に限定するものではないが、例えば、ポリウレタン繊維などの弾性繊維の太さを太い弾性繊維を用いた部分と細い弾性繊維を用いた部分で構成する方法、ポリウレタン繊維などの弾性繊維の混入割合が多い部分と少ない部分で構成する方法、編み組織を緊締力の強い編み組織と弱い編み組織に編み分ける方法（例えば特開２０００−８２０３号公報など）、ゴムや弾性樹脂の付与による方法、これらの少なくとも２方法以上の組み合わせなど適宜の方法によって緊締力変化の付された生地を得ることができる。
【００７９】
緊締力の変化は段階的でも連続的に変化させてもよいし、段階は目的に応じて任意である。
【００８０】
緊締力は、相対的なものであり、適用する衣料の種類や部位、着用者の好み、年齢などによって異なるのでその緊締力を数値で絶対的に示すことは困難である。強いて参考の目安として示すならば、比較的緊締力の強い部分の緊締力としては、特に限定するものではないが、ほぼその長さ方向で０．３Ｎ〜４Ｎの緊締力を有する様に設計することが好ましい。このような緊締力の範囲において、本発明の機能が効果的に発揮され、また、圧迫感が余りに強過ぎることもなく着用感が良好で好ましい。尚、比較的緊締力の弱い伸縮性部の緊締力が０．３Ｎを超えることがあっても、当該被服中に設けられている比較的緊締力の強い伸縮性部よりも、その緊締力が小さければ差し支えない。
【００８１】
比較的緊締力の強い部分や比較的緊締力の弱い部分などの生地の緊締力を測定する場合には、次の引張り試験を行って測定する。
【００８２】
素材経方向（ウェール方向）が試験片の長さ方向になるように幅２．５ｃｍ×長さ１６．０ｃｍの試験片を作成し、その長さ方向を上下方向に向けてその両端をクリップでつかむ。上部つかみ長さを２．５ｃｍ、下部つかみ長さを３．５ｃｍとし、従ってつかみ間隔は１０．０ｃｍとして定速伸長形引張試験機（島津製作所製“オートグラフ”ＡＧ−５００Ｄ）に取り付け、３０±２ｃｍ／分の速度で試験片を伸度８０％まで伸ばす。この際、伸度３０％時点で試験片に掛かっている応力を記録しこれを伸長力（単位Ｎ）、［１ｇｆ≒０．００９８Ｎ］とし、次に伸度８０％まで伸ばした試験片に掛かる応力を取り去ると、試験片が元の長さに戻ろうとして収縮するが、伸度３０％まで回復した時の試験片に掛かる応力を緊締力（単位Ｎ）とする。これらの値は、上記引張試験機により自動的に記録される様に設定しておく。尚、伸長力、緊締力とも、これらのデータは試験片２つの平均値を求めてそれぞれ伸長力、緊締力とした。
【００８３】
ここで、伸度（％）とは、伸ばした状態で伸び方向の生地の長さをｄ、伸ばす前の試料の元の長さ（すなわちつかみ間隔）をｅとすると、［（ｄ−ｅ）／ｅ］×１００の値である。
【００８４】
尚、伸長力や緊締力の測定の際に試験片の大きさとしては、前述のような大きさのものを用いることが好ましいが、かかる大きさの試料が測定対象の衣類から切り出せない場合にはそれより小さくても差し支えない。ただ、試料の大きさが小さくなるほど、測定誤差が大きくなるので、切り出せる範囲でできるだけ大きな試料を採取して測定することが好ましい。
【００８５】
また、本発明の衣料は、伸縮性を有するポリウレタン繊維含有ラッセル編物であるポリウレタン繊維含有パワーネットや、ポリウレタン繊維含有トリコット編物などを好ましく用いることができるので、通常の衣料を作成する際に用いられている程度の厚み、例えば約０．３〜０．８ｍｍの厚みの生地が使用でき、したがって着用時のプロポーションなどの外観が低下が少なく、身体によくフィットし、通気性も比較的良好な被服を提供できる。パワーネットの種類としては、例えば、プレーンパワーネット、サテンパワーネット、ツーウェイラッセル、“トリスキン”（ト部株式会社の商標）などが挙げられる。
【００８６】
【発明の効果】
（１）本発明の腹部裏打ち布を有する衣料は、腹部形状補整布の周辺縁のうち、脇側の縁は、その全長、または、その中間部が全長の２／３以上にわたって衣料本体に縫合されていないフリーの状態なので、裏打ちされた腹部形状補整布の運動追従性が良好で、従って座位時や前かがみ時においても、圧迫感、不快感が軽減され、局部的な痛みの発生が抑制された着用感が良好な腹部形状補整機能を有する衣料が提供できる。
【００８８】
しかも、腹部形状補整布の上辺縁並びに下辺縁は、その全長にわたって衣料本体に縫合されているので、しっかりと衣料本体に取り付けられ、腹部形状補整布の安定性を保持すると共に、耐洗濯性等の耐久性に優れた衣料が提供でき好ましい。
【００８９】
そして、腹部形状補整布が、脇側の縁近傍より中側の緊締力が大きい、緊締力が脇側の縁近傍から中側に向かって変化している生地からなっているので、形状補整機能を大きくする必要がある腹部中央部の緊締力を大きくすることが出来、不必要に腹部を圧迫することを避け、腹部形状補整布の脇側の縁近傍の緊締力が中央部に比較して緩められているので、腹部形状補整布の運動追従性が向上し好ましい。
【００９０】
更に、腹部形状補整布が、少なくともその脇側の縁部がほつれ防止処理されている端始末を必要としない生地からなっているので、ほつれ防止のため腹部形状補整布の脇側を折り返して縫製する通常の端始末を必要とする生地を用いた場合に比べ、生地の脇側端の折り返しや縫製を必要としないので、段になりにくく、腹部形状補整布の縁がアウターウェアーに反映して着用者の外観が見苦しくなるのを防止でき好ましい。
【００９１】
（２）また、衣料本体が、その少なくとも一部が緊締力の変化が付されている生地からなっている本発明の好ましい態様とすることにより、腹部形状補整布の補整機能のほかに、衣料本体により別途独自の補整機能を付与したり、腹部形状補整布の領域を衣料本体の強緊締力部が重複して通る場合には、腹部形状補整布の補整機能を更に部分的に調整したり強めたり等補整パワーの切り替えが自由に出来、腹部形状補整布と衣料本体の強緊締力部の種々の組み合わせが可能となり好ましい。
【００９２】
（３）また、衣料本体の緊締力の変化が付されている部分が、（ａ）ヒップの膨らみの部分の緊締力が弱でそれより下側にいくに従いヒップの下端まで緊締力が比較的強められているか、（ｂ）裾口近傍が緊締力が比較的強くそれより上部は緊締力が弱められているか、（ｃ）腹部中央部分が比較的緊締力が強く脇側にいくにつれて緊締力が弱くなっているかのいずれか少なくとも１つである本発明の好ましい態様とすることにより、衣料本体の緊締力の変化が付されている部分が、（ａ）ヒップの膨らみの部分の緊締力が弱でそれより下側にいくに従いヒップの下端まで緊締力が比較的強められている態様の場合には、更にヒップの美しい丸みを保ち、且つ、ヒップアップ機能を発揮でき好ましい。また、（ｂ）裾口近傍が緊締力が比較的強くそれより上部は緊締力が弱められている態様の場合には、更に裾のずり上がりを防止でき、また、例えば、セミロングタイプのガードルのような人体脚部を筒状に覆う脚部部分を有するような衣料ではなくショートタイプのガードルや実質上人体脚部を筒状に覆う脚部部分を持たない態様のボディスーツ、水着等の場合には、後ろ側の裾口近傍の位置はヒップの膨らみの部分の下側になるので、前記（ａ）の強緊締力部と同じ位置をカバーしていることになり、前記（ａ）と同様のヒップアップ機能を発揮でき好ましい。また、（ｃ）腹部中央部分が比較的緊締力が強く脇側にいくにつれて緊締力が弱くなっている態様の場合には、腹部形状補整布の機能を強化し、よりスリムな腹部形状への補整も可能となり、好ましい。
【００９３】
（４）また、腹部形状補整布が脇側の縁にほぼ沿った方向ないしはほぼ縦方向に伸縮性を有する一方向伸縮性の生地か、または、それらの方向とほぼ直角方向にも更に伸縮性を有する二方向伸縮性の生地からなる本発明の好ましい態様とすることにより、腹部形状補整機能が発揮されると共に、一つのサイズの衣料における着用可能な人体のサイズの幅が広がると共に、腹部への強い圧迫感が生じず好ましい。
【００９４】
（５）また、少なくともヒップの膨らみの頂点近傍をカバーする生地が二方向伸縮性の生地からなる本発明の好ましい態様とすることにより、ヒップの膨らみをつぶさずにヒップの美しい丸みを保つことが出来好ましい。
【００９５】
（６）また、衣料が、ショートタイプのガードル、セミロングタイプのガードル、ショーツ、スパッツ、ボディスーツ、水着、レオタードから選ばれた衣料である本発明の好ましい態様とすることにより、これらの衣料は、いずれも肌に密着してタイトに着用される衣料であり、前述した本発明の機能が効果的に発揮され好ましい。
【図面の簡単な説明】
【図１】本発明の腹部裏打ち布を有する衣料であるショートタイプのガードルの正面側から見た斜視図。
【図２】図１に示したガードルの背面側から見た斜視図。
【図３】図１の衣料本体の正面側から見た斜視図に、衣料本体裏側に取り付けられている腹部裏打ち布である腹部形状補整布の取り付け位置を記入した図。
【図４】図１〜３に示したガードルの各構成部片の展開平面図。
【図５】図１の衣料本体の正面側から見た斜視図に、別の態様の腹部形状補整布の取り付け位置を記入した図。
【図６】図１の衣料本体の正面側から見た斜視図に、更に別の態様の腹部形状補整布の取り付け位置を記入した図。
【図７】本発明の腹部裏打ち布を有する衣料である別の態様のショートタイプのガードルの正面側から見た斜視図。
【図８】図７に示したガードルの背面側から見た斜視図。
【図９】図７の衣料本体の正面側から見た斜視図に、衣料本体裏側に取り付けられている腹部裏打ち布である腹部形状補整布の取り付け位置を記入した図。
【図１０】図８の衣料本体の背面側から見た斜視図に、衣料本体裏側に取り付けられている腹部裏打ち布である腹部形状補整布の取り付け位置を記入した図。
【図１１】図７の衣料本体の正面側から見た斜視図に、更に別の態様の腹部形状補整布の取り付け位置を記入した図。
【図１２】本発明の腹部裏打ち布を有する衣料であるボディスーツの正面側から見た斜視図。
【図１３】図１２に示したボディスーツの背面側から見た斜視図。
【図１４】図１２の衣料本体の正面側から見た斜視図に、衣料本体裏側に取り付けられている腹部裏打ち布である腹部形状補整布の取り付け位置を記入した図。
【図１５】図１２の衣料本体の正面側から見た斜視図に、更に別の態様の腹部形状補整布の取り付け位置を記入した図。
【符号の説明】
１        衣料本体９の腹部充当部片
１ｂ、１ａ    腹部充当部片の小部片
２ａ、２ｂ        脇−後部充当部片
２ａ１、２ｂ１    緊締力の比較的弱い部分
２ａ２、２ｂ２    緊締力が中程度の部分
２ａ３、２ｂ３    緊締力が最も強い部分
３ａ、３ｂ        前裾部片
４ａ、４ｂ        縫合ライン
５        クロッチ布
６        縫合ライン
８
９        衣料本体
１０      腹部形状補整布の上辺縁
１０ａ    右側部分の上辺縁
１０ｂ    左側部分の上辺縁
１１      腹部形状補整布
１１ｂ、１１ａ    腹部形状補整布の小部片
１１ａ１、１１ｂ１    腹部形状補整布の中側部分
１１ａ２、１１ｂ２    腹部形状補整布の脇側部分
１２          腹部形状補整布の下辺縁
１３ｂ、１３ａ    腹部形状補整布の脇側の縁部
１３ａ１、１３ｂ１    ほぼ衣料上下方向に向いている縁
１３ａ２、１３ｂ２    斜めになっている縁
１４      縫合ライン
２０      縫合ライン
２１      腹部形状補整布の下辺点
２２      腹部中心よりやや下のポイント
２３      縫合ライン
３１      衣料本体３９の胸部−腹部充当部片
３２ａ、３２ｂ    臀部充当部片
３２ａ１、３２ｂ１    緊締力の比較的弱い部分
３２ａ２、３２ｂ２    緊締力が中程度の部分
３２ａ３、３２ｂ３    緊締力が最も強い部分
３４ａ、３４ｂ    縫合ライン
３５      クロッチ部
３６      縫合ライン
３９      衣料本体
４１ａ、４１ｂ    前脇充当部片
４２ａ、４３ａ、４３ｂ    縫合ライン
４４      背中充当部片
４５ａ、４５ｂ    乳房カップ
４６ａ、４６ｂ    ストラップ（肩紐）
５１      腹部形状補整布
５１ａ、５１ｂ    腹部形状補整布５１の小部片
５１ａ１、５１ｂ１    腹部形状補整布５１の上側部分
５１ａ２、５１ｂ２    腹部形状補整布５１の下側部分
５４      縫合ライン
【図１】
0004397004.tif 000002
【図２】
0004397004.tif 000003
【図３】
0004397004.tif 000004
【図４】
0004397004.tif 000005
【図５】
0004397004.tif 000006
【図６】
0004397004.tif 000007
【図７】
0004397004.tif 000008
【図８】
0004397004.tif 000009
【図９】
0004397004.tif 000010
【図１０】
0004397004.tif 000011
【図１１】
0004397004.tif 000012
【図１２】
0004397004.tif 000013
【図１３】
0004397004.tif 000014
【図１４】
0004397004.tif 000015
【図１５】
0004397004.tif 000016